(57)【要約】　　　（修正有）【課題】記録媒体に記録された楽曲データを用いて、ユーザが、簡単に、楽曲ベスト版や、楽曲シングル集等を作製できる楽曲記録再生装置、当該装置におけるリスト作成方法および、リスト作成処理プログラムを提供する。【課題手段】複数の楽曲データと当該楽曲データに関する情報とが記録された楽曲データベースを備え、複数の楽曲データが収録されたアルバムと当該楽曲データに関する情報が記憶されたアルバム情報データベースと、ユーザから、アルバムに関する情報の入力を受付けるアルバム情報受付手段と、前記アルバム情報データベースを参照し、アルバムとそのアルバムに収録された楽曲データに関する情報を特定する楽曲特定手段と、特定された楽曲データが前記楽曲データベースに記録されているか否かを判別する判別手段と、判別された楽曲データに関する情報のリストを作成するリスト作成手段と、を備える。【選択図】　図２
2004005811.tif 000002
【特許請求の範囲】
【請求項１】
複数の楽曲データと当該楽曲データに関する情報とが対応付けられて記録されるための楽曲データベースを備え、前記楽曲データベースに記録された楽曲データを再生する楽曲記録再生装置において、
複数の楽曲データが収録されたアルバムに関する情報および当該アルバムに収録された楽曲データに関する情報が記憶されたアルバム情報データベースと、
ユーザから、アルバムに関する情報の入力を受付けるアルバム情報受付手段と、
前記アルバム情報データベースを参照し、前記受付けられたアルバムに関する情報からアルバムを特定するとともに、特定されたアルバムに収録された楽曲データに関する情報を特定する楽曲特定手段と、
前記特定された楽曲データに関する情報に対応する楽曲データが前記楽曲データベースに記録されているか否かを判別する判別手段と、
前記楽曲データベースに記録されていると判別された楽曲データに関する情報のリストを作成するリスト作成手段と、を備えることを特徴とする楽曲記録再生装置。
【請求項２】
複数の楽曲データと当該楽曲データに関する情報とが対応付けられて記録されるための楽曲データベースを備え、前記楽曲データベースに記録された楽曲データを再生する楽曲記録再生装置において、
複数の楽曲データが収録されたアルバムに関する情報および当該アルバムに収録された楽曲データに関する情報が記憶されたアルバム情報データベースを備えたサーバにネットワークを介してアクセスするアクセス手段と、
ユーザから、アルバムに関する情報の入力を受付けるアルバム情報受付手段と、
前記アクセス手段を通じて前記サーバに備えられたアルバム情報データベースを前記ネットワークを介して参照し、前記受付けられたアルバムに関する情報からアルバムを特定するとともに、特定されたアルバムに収録された楽曲データに関する情報を特定する楽曲特定手段と、
前記特定された楽曲データに関する情報に対応する楽曲データが前記楽曲データベースに記録されているか否かを判別する判別手段と、
前記楽曲データベースに記録されていると判別された楽曲データに関する情報のリストを作成するリスト作成手段と、を備えることを特徴とする楽曲記録再生装置。
【請求項３】
請求項１または２に記載の楽曲記録再生装置において、
前記作成された前記リストを表示画面上に表示するリスト表示手段を備えることを特徴とする楽曲記録再生装置。
【請求項４】
請求項１または２に記載の楽曲記録再生装置において、
前記作成された前記リストを記憶手段に記憶するリスト記憶手段と、
ユーザから前記リストの表示指示入力を受付けるリスト表示指示受付手段と、
前記リストの表示指示入力が受付けられた場合には、前記記憶手段に記憶された前記リストを読み出し表示画面上に表示するリスト表示手段と、を備えることを特徴とする楽曲記録再生装置。
【請求項５】
請求項３または４に記載の楽曲記録再生装置において、
ユーザから前記表示された前記リスト上の楽曲データに関する情報の選択を受付ける楽曲選択受付手段と、
前記選択された楽曲データに関する情報に対応する楽曲データを再生する楽曲再生手段と、を備えることを特徴とする楽曲記録再生装置。
【請求項６】
請求項１乃至４の何れか一項に記載の楽曲記録再生装置において、
ユーザから前記作成された前記リストに含まれる楽曲データに関する情報に対応する楽曲データの再生指示を受付ける楽曲再生指示受付手段と、
前記楽曲データの再生指示が受付けられた場合には、前記リストに含まれる楽曲データに関する情報に対応する楽曲データを再生する楽曲再生手段と、を備えることを特徴とする楽曲記録再生装置。
【請求項７】
複数の楽曲データと当該楽曲データに関する情報とが対応付けられて記録されるための楽曲データベースを備え、前記楽曲データベースに記録された楽曲データを再生する楽曲記録再生装置におけるリスト作成方法において、
ユーザから、アルバムに関する情報の入力を受付けるアルバム情報受付工程と、
前記複数の楽曲データが収録されたアルバムに関する情報および当該アルバムに収録された楽曲データに関する情報が記憶されたアルバム情報データベースを参照し、前記受付けられたアルバムに関する情報からアルバムを特定するとともに、特定されたアルバムに収録された楽曲データに関する情報を特定する楽曲特定工程と、
前記特定された楽曲データに関する情報に対応する楽曲データが前記楽曲データベースに記録されているか否かを判別する判別工程と、
前記楽曲データベースに記録されていると判別された楽曲データに関する情報のリストを作成するリスト作成工程と、を備えることを特徴とする楽曲記録再生装置におけるリスト作成方法。
【請求項８】
複数の楽曲データと当該楽曲データに関する情報とが対応付けられて記録されるための楽曲データベースを備え、前記楽曲データベースに記録された楽曲データを再生する楽曲記録再生装置におけるリスト作成方法において、
ユーザから、アルバムに関する情報の入力を受付けるアルバム情報受付工程と、
複数の楽曲データが収録されたアルバムに関する情報および当該アルバムに収録された楽曲データに関する情報が記憶されたアルバム情報データベースを備えたサーバにネットワークを介してアクセスするアクセス工程と、
前記サーバに備えられたアルバム情報データベースを前記ネットワークを介して参照し、前記受付けられたアルバムに関する情報からアルバムを特定するとともに、特定されたアルバムに収録された楽曲データに関する情報を特定する楽曲特定工程と、
前記特定された楽曲データに関する情報に対応する楽曲データが前記楽曲データベースに記録されているか否かを判別する判別工程と、
前記楽曲データベースに記録されていると判別された楽曲データに関する情報のリストを作成するリスト作成工程と、を備えることを特徴とする楽曲記録再生装置におけるリスト作成方法。
【請求項９】
複数の楽曲データと当該楽曲データに関する情報とが対応付けられて記録されるための楽曲データベースを備え、前記楽曲データベースに記録された楽曲データを再生する楽曲記録再生装置に含まれるコンピュータを、
複数の楽曲データが収録されたアルバムに関する情報および当該アルバムに収録された楽曲データに関する情報が記憶されたアルバム情報データベースを参照し、ユーザにより入力されたアルバムに関する情報からアルバムを特定するとともに、特定されたアルバムに収録された楽曲データに関する情報を特定する楽曲特定手段、
前記特定された楽曲データに関する情報に対応する楽曲データが前記楽曲データベースに記録されているか否かを判別する判別手段、
前記楽曲データベースに記録されていると判別された楽曲データに関する情報のリストを作成するリスト作成手段、として機能させることを特徴とするリスト作成処理プログラム。
【請求項１０】
複数の楽曲データと当該楽曲データに関する情報とが対応付けられて記録されるための楽曲データベースを備え、前記楽曲データベースに記録された楽曲データを再生する楽曲記録再生装置に含まれるコンピュータを、
複数の楽曲データが収録されたアルバムに関する情報および当該アルバムに収録された楽曲データに関する情報が記憶されたアルバム情報データベースを備えたサーバにネットワークを介してアクセスするアクセス手段、
前記アクセス手段を通じて前記サーバに備えられたアルバム情報データベースを前記ネットワークを介して参照し、ユーザにより入力されたアルバムに関する情報からアルバムを特定するとともに、特定されたアルバムに収録された楽曲データに関する情報を特定する楽曲特定手段、
前記特定された楽曲データに関する情報に対応する楽曲データが前記楽曲データベースに記録されているか否かを判別する判別手段、
前記楽曲データベースに記録されていると判別された楽曲データに関する情報のリストを作成するリスト作成手段、として機能させることを特徴とするリスト作成処理プログラム。
【発明の詳細な説明】
【０００１】
【発明の属する技術分野】
複数の楽曲データと当該楽曲データに関する情報とが対応付けられて記録された楽曲データベースを備え、前記楽曲データベースに記録された楽曲データを再生する楽曲記録再生装置の技術分野に関する。
【０００２】
【従来の技術】
近年、ＨＤＤ（ハードディスク）などの記録媒体の大容量化や、ＭＰ（ＭＰＥＧ　Ａｕｄｉｏ　Ｌａｙｅｒ）３、ＡＴＲＡＣ（Ａｄａｐｔｉｖｅ　ＴＲａｎｓｆｏｒｍ　Ａｃｏｕｓｔｉｃ　Ｃｏｄｉｎｇ）３などのデータ圧縮技術の進展により、ユーザが、楽曲記録再生装置を使用し、例えば、多くのＣＤ（Ｃｏｍｐａｃｔ　Ｄｉｓｃ）や、ＭＤ（Ｍｉｎｉ　Ｄｉｓｃ）、ＤＶＤ（Ｄｉｇｉｔａｌ　Ｖｅｒｓａｔｉｌｅ　Ｄｉｓｃ）などに記録された楽曲データを一つの記録媒体（例えば、ＨＤＤ）に記録（録音）して再生することができるようになった。
【０００３】
このような従来の楽曲記録再生装置においては、記録媒体に記録された多くのに楽曲データに対して、ユーザが楽曲のタイトルを付与し、登録することができるようになっていた。これにより、多くの楽曲データを効率的に管理することができ、ユーザは、所望の楽曲のタイトルを指定することにより、所望の楽曲を聴くことができるようになっていた。
【０００４】
【発明が解決しようとする課題】
ところで、ユーザが、特定のアーティストのシングルＣＤや、アルバムＣＤが販売される度に購入し、それらの中に収録された全ての楽曲データをＨＤＤに記録していた場合に、そのアーティストの楽曲ベスト版や、楽曲シングル集等に係るアルバムＣＤが販売、つまり、過去に販売されたＣＤに収録された楽曲データばかりを集めたアルバムＣＤが販売されたとき、それらの楽曲データについては、既にＨＤＤに記録されているので、ユーザが、その楽曲ベスト版や、楽曲シングル集等に係るアルバムＣＤを購入することは、非常に不経済であった。
【０００５】
このため、一般的に、ユーザは、楽曲ベスト版や、楽曲シングル集等に係るアルバムＣＤを購入せず、ＨＤＤから別の記録媒体に、そのＣＤに収録された順に楽曲データを記録（録音）するか、或いは、そのＣＤに収録された順に楽曲データをプログラム再生する方法により、擬似的に、楽曲ベスト版や、楽曲シングル集等に係るアルバムＣＤに収録された楽曲を楽しむという面倒な方法をとっていた。
【０００６】
そこで、上記課題に鑑みてなされたものであり、記録媒体に記録された楽曲データを用いて、ユーザに、簡単に、楽曲ベスト版や、楽曲シングル集等を提供することが可能な楽曲記録再生装置、楽曲記録再生装置におけるリスト作成方法および、リスト作成処理プログラムを提供することを目的する。
【０００７】
【課題を解決するための手段】
上記課題を解決するため、請求項１記載の発明は、複数の楽曲データと当該楽曲データに関する情報とが対応付けられて記録されるための楽曲データベースを備え、前記楽曲データベースに記録された楽曲データを再生する楽曲記録再生装置において、複数の楽曲データが収録されたアルバムに関する情報および当該アルバムに収録された楽曲データに関する情報が記憶されたアルバム情報データベースと、ユーザから、アルバムに関する情報の入力を受付けるアルバム情報受付手段と、前記アルバム情報データベースを参照し、前記受付けられたアルバムに関する情報からアルバムを特定するとともに、特定されたアルバムに収録された楽曲データに関する情報を特定する楽曲特定手段と、前記特定された楽曲データに関する情報に対応する楽曲データが前記楽曲データベースに記録されているか否かを判別する判別手段と、前記楽曲データベースに記録されていると判別された楽曲データに関する情報のリストを作成するリスト作成手段と、を備えるように構成する。
【０００８】
請求項１記載の発明によれば、ユーザにより入力されたアルバムに関する情報からアルバムを特定するとともに、特定されたアルバムに収録された楽曲データに関する情報を特定し、特定された楽曲データに関する情報のうち、楽曲データベースに記録されている楽曲データの当該楽曲データに関する情報のリストを作成するように構成したので、ユーザが、例えば、所望のアーティストの楽曲ベスト版や、楽曲シングル集等に係るアルバムＣＤを購入せずとも、楽曲データベースに記録された楽曲データを用いて、ユーザに対し、簡単に、その楽曲ベスト版や、楽曲シングル集等を提供することができる。
【０００９】
請求項２に記載の発明は、複数の楽曲データと当該楽曲データに関する情報とが対応付けられて記録されるための楽曲データベースを備え、前記楽曲データベースに記録された楽曲データを再生する楽曲記録再生装置において、複数の楽曲データが収録されたアルバムに関する情報および当該アルバムに収録された楽曲データに関する情報が記憶されたアルバム情報データベースを備えたサーバにネットワークを介してアクセスするアクセス手段と、ユーザから、アルバムに関する情報の入力を受付けるアルバム情報受付手段と、前記アクセス手段を通じて前記サーバに備えられたアルバム情報データベースを前記ネットワークを介して参照し、前記受付けられたアルバムに関する情報からアルバムを特定するとともに、特定されたアルバムに収録された楽曲データに関する情報を特定する楽曲特定手段と、前記特定された楽曲データに関する情報に対応する楽曲データが前記楽曲データベースに記録されているか否かを判別する判別手段と、前記楽曲データベースに記録されていると判別された楽曲データに関する情報のリストを作成するリスト作成手段と、を備えるように構成する。
【００１０】
請求項２記載の発明によれば、ユーザにより入力されたアルバムに関する情報からアルバムを特定するとともに、特定されたアルバムに収録された楽曲データに関する情報を特定し、特定された楽曲データに関する情報のうち、楽曲データベースに記録されている楽曲データの当該楽曲データに関する情報のリストを作成するように構成したので、ユーザが、例えば、所望のアーティストの楽曲ベスト版や、楽曲シングル集等に係るアルバムＣＤを購入せずとも、楽曲データベースに記録された楽曲データを用いて、ユーザに対し、簡単に、その楽曲ベスト版や、楽曲シングル集等を提供することができる。また、アクセス手段を通じてサーバに備えられたアルバム情報データベースをネットワークを介して参照するように構成したので、楽曲記録再生装置にアルバム情報データベースを備えさせる必要はなく、よって、記録媒体の容量を削減（節約）することができる。また、常に最新のアルバムに関する情報および当該アルバムに収録された楽曲データに関する情報を利用することができる。
【００１１】
請求項３に記載の発明は、請求項１または２に記載の楽曲記録再生装置において、前記作成された前記リストを表示画面上に表示するリスト表示手段を備えるように構成する。
【００１２】
請求項３記載の発明によれば、ユーザは、作成されたリストを表示画面上で見ることができる。
【００１３】
請求項４に記載の発明は、請求項１または２に記載の楽曲記録再生装置において、前記作成された前記リストを記憶手段に記憶するリスト記憶手段と、ユーザから前記リストの表示指示入力を受付けるリスト表示指示受付手段と、前記リストの表示指示入力が受付けられた場合には、前記記憶手段に記憶された前記リストを読み出し表示画面上に表示するリスト表示手段と、を備えるように構成する。
【００１４】
請求項４記載の発明によれば、作成されたリストを記憶手段に記憶することができるので、いつでも、そのリストを読み出し、表示画面上に表示させることができる。
【００１５】
請求項５に記載の発明は、請求項３または４に記載の楽曲記録再生装置において、ユーザから前記表示された前記リスト上の楽曲データに関する情報の選択を受付ける楽曲選択受付手段と、前記選択された楽曲データに関する情報に対応する楽曲データを再生する楽曲再生手段と、を備えるように構成する。
【００１６】
請求項５記載の発明によれば、ユーザは、当該リストをアルバムとして、いつでもそのリストに係る楽曲データを聴くことができる。しかも、ユーザは、再生する楽曲データを、表示画面上に表示されたリスト上から簡単に選択することができる。
【００１７】
請求項６に記載の発明は、請求項１乃至４の何れか一項に記載の楽曲記録再生装置において、ユーザから前記作成された前記リストに含まれる楽曲データに関する情報に対応する楽曲データの再生指示を受付ける楽曲再生指示受付手段と、前記楽曲データの再生指示が受付けられた場合には、前記リストに含まれる楽曲データに関する情報に対応する楽曲データを再生する楽曲再生手段と、を備えるように構成する。
【００１８】
請求項６記載の発明によれば、ユーザは、当該リストをアルバムとして、いつでもそのリストに係る楽曲データを再生し聴くことができる。しかも、リストにおける楽曲データを表示画面上に表示しなくても、ユーザは、リストにおける楽曲データを聴くことができる。
【００１９】
請求項７に記載の発明は、複数の楽曲データと当該楽曲データに関する情報とが対応付けられて記録されるための楽曲データベースを備え、前記楽曲データベースに記録された楽曲データを再生する楽曲記録再生装置におけるリスト作成方法において、ユーザから、アルバムに関する情報の入力を受付けるアルバム情報受付工程と、前記複数の楽曲データが収録されたアルバムに関する情報および当該アルバムに収録された楽曲データに関する情報が記憶されたアルバム情報データベースを参照し、前記受付けられたアルバムに関する情報からアルバムを特定するとともに、特定されたアルバムに収録された楽曲データに関する情報を特定する楽曲特定工程と、前記特定された楽曲データに関する情報に対応する楽曲データが前記楽曲データベースに記録されているか否かを判別する判別工程と、前記楽曲データベースに記録されていると判別された楽曲データに関する情報のリストを作成するリスト作成工程と、を備えるように構成する。
【００２０】
請求項７記載の発明によれば、請求項１に記載の発明と同様の効果を得ることができる。
【００２１】
請求項８に記載の発明は、複数の楽曲データと当該楽曲データに関する情報とが対応付けられて記録されるための楽曲データベースを備え、前記楽曲データベースに記録された楽曲データを再生する楽曲記録再生装置におけるリスト作成方法において、ユーザから、アルバムに関する情報の入力を受付けるアルバム情報受付工程と、複数の楽曲データが収録されたアルバムに関する情報および当該アルバムに収録された楽曲データに関する情報が記憶されたアルバム情報データベースを備えたサーバにネットワークを介してアクセスするアクセス工程と、前記サーバに備えられたアルバム情報データベースを前記ネットワークを介して参照し、前記受付けられたアルバムに関する情報からアルバムを特定するとともに、特定されたアルバムに収録された楽曲データに関する情報を特定する楽曲特定工程と、前記特定された楽曲データに関する情報に対応する楽曲データが前記楽曲データベースに記録されているか否かを判別する判別工程と、前記楽曲データベースに記録されていると判別された楽曲データに関する情報のリストを作成するリスト作成工程と、を備えるように構成する。
【００２２】
請求項８記載の発明によれば、請求項２に記載の発明と同様の効果を得ることができる。
【００２３】
請求項９に記載の発明は、複数の楽曲データと当該楽曲データに関する情報とが対応付けられて記録されるための楽曲データベースを備え、前記楽曲データベースに記録された楽曲データを再生する楽曲記録再生装置に含まれるコンピュータを、複数の楽曲データが収録されたアルバムに関する情報および当該アルバムに収録された楽曲データに関する情報が記憶されたアルバム情報データベースを参照し、ユーザにより入力されたアルバムに関する情報からアルバムを特定するとともに、特定されたアルバムに収録された楽曲データに関する情報を特定する楽曲特定手段、前記特定された楽曲データに関する情報に対応する楽曲データが前記楽曲データベースに記録されているか否かを判別する判別手段、前記楽曲データベースに記録されていると判別された楽曲データに関する情報のリストを作成するリスト作成手段、として機能させるように構成する。
【００２４】
請求項９記載の発明によれば、リスト作成処理プログラムがコンピュータに組み込まれることにより、請求項１に記載の楽曲記録再生装置を実現することができる。
【００２５】
請求項１０に記載の発明は、複数の楽曲データと当該楽曲データに関する情報とが対応付けられて記録されるための楽曲データベースを備え、前記楽曲データベースに記録された楽曲データを再生する楽曲記録再生装置に含まれるコンピュータを、複数の楽曲データが収録されたアルバムに関する情報および当該アルバムに収録された楽曲データに関する情報が記憶されたアルバム情報データベースを備えたサーバにネットワークを介してアクセスするアクセス手段、前記アクセス手段を通じて前記サーバに備えられたアルバム情報データベースを前記ネットワークを介して参照し、ユーザにより入力されたアルバムに関する情報からアルバムを特定するとともに、特定されたアルバムに収録された楽曲データに関する情報を特定する楽曲特定手段、前記特定された楽曲データに関する情報に対応する楽曲データが前記楽曲データベースに記録されているか否かを判別する判別手段、前記楽曲データベースに記録されていると判別された楽曲データに関する情報のリストを作成するリスト作成手段、として機能させるように構成する。
【００２６】
請求項１０記載の発明によれば、リスト作成処理プログラムがコンピュータに組み込まれることにより、請求項２に記載の楽曲記録再生装置を実現することができる。
【００２７】
【発明の実施の形態】
以下、本発明の好適な実施の形態を添付図面に基づいて説明する。なお、以下の実施形態は、本発明にかかる楽曲記録再生装置をオーディオ装置に適用した場合の実施形態である。
【００２８】
先ず、図１を参照して、本実施形態にかかるオーディオ装置の構成および機能を説明する。
【００２９】
図１は、オーディオ装置の概要ブロック例である。図１に示すように、オーディオ装置１００は、ＣＤ１０に記録された楽曲データを再生するＣＤ再生部１と、ＣＤ再生部１により再生された楽曲データに対して高速でデジタル信号処理を施して出力するＤＳＰ（Ｄｉｇｉｔａｌ　Ｓｉｇｎａｌ　Ｐｒｏｃｅｓｓｏｒ）２と、インターネットなどのネットワークに接続するための通信部３と、ＤＳＰ２から出力された楽曲データをデジタル／アナログ変換しアナログ音声信号として出力するＤＡＣ（Ｄｉｇｉｔａｌ−ｔｏ−Ａｎａｌｏｇ　Ｃｏｎｖｅｒｔｅｒ）４と、ＤＡＣ４から出力されたアナログ音声信号を増幅して出力するＡＭＰ（Ａｍｐｌｉｆｉｅｒ）５と、ＡＭＰ５から出力されたアナログ音声信号を音波として出力するスピーカ６と、ＤＳＰ２から出力された楽曲データをＨＤＤ１１に記録する楽曲記録手段およびＨＤＤ１１に記録された楽曲データを再生する楽曲再生手段としてのＨＤＤ記録再生部７と、上記各構成要素の動作制御を担う制御部８と、ユーザからの指示入力を受付け制御部８に出力したり、所定の情報を表示する操作／表示部９と、を含んで構成される。
【００３０】
ＣＤ再生部１は、ＣＤ１０を装着するための装着機構、ＣＤ１０に記録された楽曲データを光学的に読み取るピックアップ、ＣＤ１０を回転駆動するスピンドルモータ、スピンドルモータとピックアップをサーボ制御するサーボ回路などを備えており、楽曲データ（ＬＲＣＫ，ＢＣＫ，ＢＤＡＴＡ，Ｃ２ＰＯなどのデジタルデータ信号）を再生し、ＤＳＰ２に出力する。また、ＣＤ再生部１は、ＣＤ１０の最内周部に記録されたＴＯＣ（Ｔａｂｌｅ　ｏｆ　ｃｏｎｔｅｎｔ）情報を読み出し、制御部８に出力する。このＴＯＣ情報には、周知の如く、トラック番号、曲数、演奏時間などの管理情報が含まれている。また、ＣＤ再生部１は、ＣＤ１０にプロテクトがかかっていない場合には、テキスト情報を読み出し、制御部８に出力することができる。このテキスト情報には、例えば、楽曲タイトル、アルバムタイトル、アーティスト名などの情報が含まれている。なお、かかるＣＤ再生部１には、公知の技術を適用できるので、更なる詳しい説明を省略する。また、ＣＤ再生部１では、ＡＴＡＰＩ接続であってもよい。
【００３１】
また、本実施形態では、ＣＤ再生部１を適用したが、例えば、ＤＶＤに記録された楽曲データを再生するＤＶＤ再生部や、ＭＤに記録された楽曲データを再生するＭＤ再生部や、メモリースティック（登録商標）などのカード型記録媒体に記録された楽曲データを再生するカード型記録媒体再生部などを適用してもよく、また、これらを併用するように構成してもよい。
【００３２】
ＤＳＰ２は、論理回路やメモリ回路を備えており、ＣＤ再生部１により再生された楽曲データに対して高速でデジタル信号処理、具体的には、ＣＤ再生部１により再生されたＲＦ（Ｒａｄｉｏ　Ｆｒｅｑｕｅｎｃｙ）信号の楽曲データに対してＥＦＭ（Ｅｉｇｈｔ　ｔｏ　Ｆｏｕｒｔｅｅｎ　Ｍｏｄｕｌａｔｉｏｎ）復調などの公知の音響処理を施して、当該楽曲データをＤＡＣ４およびＨＤＤ記録再生部７に出力する。なお、ＤＳＰ２は、楽曲データをＭＰ３、ＡＴＲＡＣ３等のフォーマットなどの所定の形式で圧縮した後、ＨＤＤ記録・再生部７に出力するように構成してもよい。
【００３３】
ＨＤＤ記録再生部７は、バッファメモリ、ＨＤＤドライブなどを備え、ＤＳＰ２から出力された楽曲データは、バッファメモリに一旦蓄えられた後、ＨＤＤドライブによりＨＤＤ１１に記録されることになる。また、ＨＤＤドライブによりＨＤＤ１１から再生された楽曲データは、バッファメモリに蓄えられた後、ＤＳＰ２に出力される。
【００３４】
ＨＤＤ１１には、楽曲データベースと、アルバム情報データベースとが論理的に構築可能である。楽曲データベースには、ＤＳＰ２から出力された楽曲データが、制御部８から出力された楽曲データに関する情報（例えば、記録元のＣＤ１０のＴＯＣ情報や、テキスト情報）に対応付けられて記録される。また、楽曲データを記録する際、その楽曲データに関する情報として、ユーザが、楽曲タイトル等を、操作／表示部９を操作して入力し、楽曲データベースに登録することもできる。また、楽曲データを記録する際、その楽曲データに関する情報として、制御部８が、楽曲タイトル等を、通信部３を介してインターネット上の所定のデータベースを備えたサーバにアクセスし、ダウンロードして、楽曲データベースに登録することもできる。
【００３５】
また、アルバム情報データベースには、複数の楽曲データが収録されたアルバムに関する情報（例えば、ＴＯＣ情報、アルバムタイトル、アルバムのアーティスト名等）および当該アルバムに収録された楽曲データに関する情報（例えば、楽曲タイトル等）が記憶される。このアルバムに関する情報および当該アルバムに収録された楽曲データに関する情報を、例えば、制御部８が、通信部３を介してインターネット上のアルバム情報データベースを備えたサーバにアクセスし、ダウンロードすることができるようになっている。これにより、販売されたばかりのアルバムに関する情報等を、随時、アルバム情報データベースに登録することができる。
【００３６】
なお、ＣＤ−ＲＯＭや、メモリースティック（登録商標）などのカード型記録媒体に記憶された情報を読み取る装置を、オーディオ装置１００に備えさせ、そこからアルバムに関する情報および当該アルバムに収録された楽曲データに関する情報を読み取り、アルバム情報データベースに登録するように構成してもよい。この場合、アルバムに関する情報および当該アルバムに収録された楽曲データに関する情報をＣＤ−ＲＯＭや、カード型記録媒体に記憶し、これを、定期的に、ユーザに提供することになる。
【００３７】
なお、かかるＨＤＤ記録再生部７には、公知の技術を適用できるので、更なる詳しい説明を省略する。また、本実施形態では、ＨＤＤ記録再生部７を適用したが、例えば、ＣＤ−Ｒに楽曲データを記録再生するＣＤ−Ｒ記録再生部や、ＤＶＤ−Ｒ／Ｗに楽曲データを記録再生するＤＶＤ−Ｒ／Ｗ記録再生部や、メモリースティック（登録商標）などのカード型記録媒体に楽曲データを記録再生するカード型記録媒体記録再生部などを適用してもよく、また、これらを併用するように構成してもよい。
【００３８】
制御部８は、演算機能を有するＣＰＵ、作業用ＲＡＭ、各種処理プログラムやデータを記憶するＲＯＭ、後述する楽曲データに関する情報のリストを記憶する記憶手段としての不揮発性メモリ（例えば、ＥＥＰＲＯＭ（Ｅｌｅｃｔｒｉｃａｌｌｙ　Ｅｒａｓａｂｌｅ　Ｐｒｏｇｒａｍｍａｂｌｅ　Ｒｅａｄ　Ｏｎｌｙ　Ｍｅｍｏｒｙ）などからなり、操作・表示部９からの指示に従い、ＣＤ再生部１の再生動作や、ＨＤＤ記録再生部７の記録再生動作を制御する。また、制御部８は、ＣＤ再生部１から出力されたＴＯＣ情報、テキスト情報を楽曲データに対応つけてＨＤＤ１１の楽曲データベースに記憶させるようにＨＤＤ記録再生部７を制御する。
【００３９】
また、制御部８におけるＲＯＭには、リスト作成処理プログラムが記憶されており、かかるプログラムにより、コンピュータとしての制御部８が、楽曲特定手段、判別手段、リスト作成手段、リスト記憶手段、リスト表示手段、アクセス手段として機能する。
【００４０】
より具体的には、制御部８は、ユーザから操作・表示部９によってアルバムに関する情報（例えば、アルバムタイトル、アルバムのアーティスト名）が受付けられた場合に、楽曲特定手段として機能し、ＨＤＤ記録再生部７を介してＨＤＤ１１におけるアルバム情報データベースを参照し、受付けられたアルバムに関する情報からアルバムを特定するとともに、特定されたアルバムに収録された楽曲データに関する情報（例えば、楽曲タイトル）を特定する。
【００４１】
また、制御部８は、判別手段として機能し、上記特定された楽曲データに関する情報（例えば、楽曲タイトル）に対応する楽曲データが楽曲データベースに記録されているか否かを判別する。また、制御部８は、リスト作成手段として機能し、楽曲データベースに記録されていると判別された楽曲データに関する情報（例えば、楽曲タイトル）のリストを作成する。
【００４２】
また、制御部８は、リスト記憶手段として機能し、上記作成された楽曲データに関する情報（例えば、楽曲タイトル）のリストを不揮発性メモリに記憶する。また、制御部８は、リスト表示手段として機能し、上記作成された楽曲データに関する情報（例えば、楽曲タイトル）のリストを操作・表示部９の表示画面上に表示する。
【００４３】
また、制御部８は、アクセス手段として機能し、上述したアルバム情報データベースを備えたサーバに通信部３およびインターネットを介してアクセスする。
【００４４】
操作・表示部９は、ユーザからの指示入力を受付けるための操作ボタンを有し、ユーザからアルバムに関する情報（例えば、アルバムタイトル、アルバムのアーティスト名）の入力を受付けるアルバム情報受付手段、ユーザから上記リストの表示指示入力を受付けるリスト表示指示受付手段、ユーザから楽曲データの再生指示を受付ける楽曲再生指示受付手段、ユーザから上述したリスト上の楽曲データに関する情報（例えば、楽曲タイトル）の選択を受付ける楽曲選択受付手段、としてそれぞれ機能する。また、操作・表示部９は、所定の情報を表示するための表示器を有し、その表示画面上に上述したリストが表示されることになる。
【００４５】
次に、図２乃至図４を参照して、オーディオ装置１００におけるリスト作成処理について説明する。
【００４６】
図２は、制御部８におけるリスト作成処理を示すフローチャートである。図３は、リスト作成処理において、操作・表示部９の表示器の表示画面上に表示されたアルバムに関する情報の入力画面例を示すための図である。図４は、リスト作成処理において、操作・表示部９の表示器の表示画面上に表示された楽曲データに関する情報のリスト例を示すための図である。
【００４７】
図２に示す処理は、ユーザが、リスト作成処理開始指示を操作・表示部９ｂにおける所定の操作ボタンを押下することにより開始され、図３に示すように、操作・表示部９の表示器の表示画面９１上にアルバムに関する情報の入力画面が表示される。このような表示状態で、ユーザが、十字ボタン９２を操作し、アルバムに関する情報として、例えば、所望のアルバムタイトルを入力欄９１ａに、アーティスト名を入力欄９１ｂをそれぞれ入力する。つまり、操作・表示部９にて、アルバムタイトルおよびアーティスト名の入力を受付ける。次いで、ユーザが、決定ボタン９３を押下すると、制御部８は、アルバムに関する情報の入力を受付けたと判断し（ステップＳ１）、ステップに移行する。
【００４８】
なお、ここでは、アルバムに関する情報の一例として、アルバムタイトルおよびアーティスト名を入力するようにしたが、これに限定されるものではなく、アルバムタイトルのみであってもよいし、その他の要素（例えば、ジャンル）を追加するようにしてもよい。要は、ユーザが所望するアルバムが特定されれば良いのである。
【００４９】
また、本実施形態では、ユーザが、所望のアルバムタイトルを入力欄９１ａに、アーティスト名を入力欄９１ｂをそれぞれ入力するように構成したが、例えば、表示画面９１上に、アルバム情報データベースに記憶された複数のアルバムタイトルおよびアーティスト名を表示させ、その中から、ユーザが所望するアルバムタイトル等を十字ボタン９２を操作して選択入力できるようにしてもよい。
【００５０】
ステップＳ２では、制御部８が、ＨＤＤ記録再生部７を介してＨＤＤ１１におけるアルバム情報データベースを参照し、受付けられたアルバムに関する情報（ここでは、アルバムタイトルおよびアーティスト名）から、アルバムを特定するとともに、特定されたアルバムに収録された楽曲データに関する情報（例えば、楽曲タイトル）を特定し、ステップＳ３に移行する。ここで特定される楽曲データに関する情報に対応する楽曲は複数であることはいうまでもない。
【００５１】
ステップＳ３では、制御部８が、特定された楽曲データに関する情報（例えば、楽曲タイトル）に対応する楽曲データが、ＨＤＤ１１における楽曲データベースに記録されているか否かを、１曲毎に、ＨＤＤ記録再生部７を介して比較し判別する。例えば、特定された楽曲タイトルと同じ楽曲タイトルの楽曲データが楽曲データベースに記録されているかを判別する。そして、その判別結果より、例えば、特定された楽曲タイトルに対応する楽曲データが記録されていると判別した場合には、制御部８が、当該楽曲タイトルを認識する（ステップＳ４）。
【００５２】
次に、制御部８は、特定された楽曲データに関する情報（例えば、楽曲タイトル）の全てについて判別されたかを判断する（ステップＳ５）。つまり、特定される楽曲データに関する情報に対応する楽曲は複数あるので、それぞれの楽曲データについて、楽曲データベースに記録されているかを判別し、全てについて判別された場合には、制御部８は、ステップＳ４にて認識された楽曲データに関する情報（例えば、楽曲タイトル）のリスト（リストデータ）を作成する（ステップＳ６）。次いで、制御部８は、作成されたリスト（リストデータ）を不揮発性メモリに記憶する（ステップＳ７）。次いで、制御部８は、作成されたリスト（リストデータ）を操作・表示部９の表示器の表示画面９１上に表示する（ステップＳ８）。
【００５３】
こうして、図４に示すように、操作・表示部９の表示器の表示画面９１上に表示された楽曲データに関する情報のリスト９１ｃには、ユーザにより入力されたアルバムタイトル「ＸＹＺ」およびアーティスト名「ＡＢＺ」が表示されている。また、かかるリスト９１ｃには、ステップＳ４にて認識された楽曲タイトル（「ＡＡＡＡＡ」等）が、順番に表示されている。もちろん、ステップＳ４で認識されなかった楽曲タイトル（楽曲データベースに記録されていない楽曲データの楽曲タイトル）については、かかるリスト９１ｃには表示されない。
【００５４】
また、図４の例では、リスト９１ｃにおける楽曲タイトル「ＡＡＡＡＡ」上にカーソル９１ｄが表示されており、かかるカーソル９１ｄは、十字ボタン９２の操作によって複数の楽曲タイトル上を移動する。これにより、ユーザは、リスト９１ｃ上の楽曲タイトルの選択することができる。そして、例えば、ユーザが、再生ボタン９４を押下すると、制御部８は、これに応じ、カーソル９１ｄが表示された、つまり、ユーザにより選択された楽曲タイトルに対応する楽曲データを再生すべく、ＨＤＤ記録再生部７を制御する。これにより、当該楽曲データがＨＤＤ１１からＨＤＤ記録再生部７により再生されることになる。
【００５５】
また、一旦、このようなリストが作成されると、そのリストは、不揮発性メモリに記憶されるので、操作・表示部９の表示器の表示画面９１上から消去された後にも、例えば、ユーザによるリストボタン９５の押下により、制御部８が、当該不揮発性メモリからリストを読み出し、表示画面９１上に表示することができる。
【００５６】
また、不揮発性メモリに記憶されたリストを読み出し、操作・表示部９の表示器の表示画面９１上に表示しなくとも、所定の操作ボタンにより、当該リストにおける楽曲タイトルに対応する楽曲データを再生するように構成しても構わない。
【００５７】
以上説明したように本実施形態によれば、ユーザにより入力されたアルバムタイトルからアルバムを特定するとともに、特定されたアルバムに収録された楽曲タイトルを特定し、特定された楽曲タイトルのうち、楽曲データベースに記録されている楽曲データの楽曲タイトルのリストを作成し、表示器の表示画面９１上に表示するので、ユーザが、例えば、所望のアーティストの楽曲ベスト版や、楽曲シングル集等に係るアルバムＣＤを購入せずとも、楽曲データベースに記録された楽曲データを用いて、ユーザに対し、簡単に、その楽曲ベスト版や、楽曲シングル集等を提供することができる。
【００５８】
なお、上記実施形態におけるステップＳ２において、制御部８が、ＨＤＤ１１におけるアルバム情報データベースを参照して、アルバムに関する情報からアルバムを特定するとともに、特定されたアルバムに収録された楽曲データに関する情報を特定するように構成したが、これとは別の例として、制御部８が、通信部３を介してインターネット上のアルバム情報データベースを備えたサーバにアクセスして、そこに備えられたアルバム情報データベースを参照して、アルバムに関する情報からアルバムを特定するとともに、特定されたアルバムに収録された楽曲データに関する情報を特定するように構成してもよい。このように構成すれば、アルバムに関する情報および当該アルバムに収録された楽曲データに関する情報をダウンロードする必要がなく、ＨＤＤ１１の記録容量を削減（節約）することができ、また、常に最新のアルバムに関する情報および当該アルバムに収録された楽曲データに関する情報を利用することができる。
【００５９】
また、上記実施形態におけるステップＳ３において、制御部８が、特定された楽曲データに関する情報に対応する楽曲データが、ＨＤＤ１１における楽曲データベースに記録されているか否かを判別し、記録されていない楽曲データの当該楽曲データに関する情報は、リストには登録されないが、その後、その楽曲データが楽曲データベースに記録されたときに、制御部８が、当該楽曲データの楽曲データに関する情報をリストに追加登録するように構成してもよい。このように構成すれば、ある時点では所望するアルバム未完成であったけれども、その後に、そのアルバムを完成させることができるという利便性を向上させることができる。
【００６０】
また、上記実施形態においては、楽曲データに関する情報のリストの一例として、楽曲タイトルのリストを示したが、これに限定されるものではなく、他の要素（例えば、トラック番号）のリストであっても構わない。
【００６１】
なお、上記実施形態においては、楽曲データに関する情報のリストを記憶する記憶手段として、不揮発性メモリを適用したが、これに限定されるものではなく、ＨＤＤ１１に楽曲データに関する情報のリストを記憶するように構成してもよい。
【００６２】
【発明の効果】
以上説明したように、本発明によれば、ユーザにより入力されたアルバムに関する情報からアルバムを特定するとともに、特定されたアルバムに収録された楽曲データに関する情報を特定し、特定された楽曲データに関する情報のうち、楽曲データベースに記録されている楽曲データの当該楽曲データに関する情報のリストを作成するように構成したので、ユーザが、例えば、所望のアーティストの楽曲ベスト版や、楽曲シングル集等に係るアルバムＣＤを購入せずとも、楽曲データベースに記録された楽曲データを用いて、ユーザに対し、簡単に、その楽曲ベスト版や、楽曲シングル集等を提供することができる。
【図面の簡単な説明】
【図１】オーディオ装置の概要ブロック例を示す図である。
【図２】制御部８におけるリスト作成処理を示すフローチャートである。
【図３】リスト作成処理において、操作・表示部９の表示器の表示画面上に表示されたアルバムに関する情報の入力画面例を示すための図である。
【図４】リスト作成処理において、操作・表示部９の表示器の表示画面上に表示された楽曲データに関する情報のリスト例を示すための図である。
【符号の説明】
１　ＣＤ再生部
２　ＤＳＰ
３　通信部
４　ＤＡＣ
５　ＡＭＰ
６　スピーカ
７　ＨＤＤ記録再生部
８　制御部
９　操作／表示部
１０　ＣＤ
１１　ＨＤＤ
１００　オーディオ装置
【図１】
2004005811.tif 000003
【図２】
2004005811.tif 000004
【図３】
2004005811.tif 000005
【図４】
2004005811.tif 000006